(57)【要約】【課題】個人向け健康関連およびカスタマイズ推薦を動的に生成するための技術を提供する。【解決手段】健康関連推薦を動的に生成するシステムおよび方法が記述される。特定の態様において、個人は電子装置を使用し、バックエンドサーバにより対応されるインタフェースセットをアクセスし、インタフェースセットは、個人が選択し、情報を入力することを可能とする。バックエンドサーバは、選択および情報を調査および分析し、それに応じて、個人の健康関連推薦セットを決定して生成し、個人は電子装置を使用して、健康関連推薦セットに含まれる一つ以上の製品あるいはサービスを選択し、購入する。【選択図】図１
2019530918.tif 000002
【特許請求の範囲】
【請求項１】
健康関連推薦を動的に生成するコンピュータ実行方法であって、
電子装置が、前記電子装置のユーザから入力セットを受信するように構成されるインタフェースをアクセスすることを可能にするステップと、
ネットワーク接続を介して、前記電子装置から、前記インタフェースに関連し、前記ユーザに関連する健康関連情報セットを含む前記入力セットを受信するステップと、
コンピュータプロセッサにより、前記入力セットの少なくとも一部に基づいて、（ｉ）前記ユーザの健康評価、および、（ｉｉ）提案健康関連推薦セットのそれぞれが購入可能な製品セットを示す、前記ユーザの前記提案健康関連推薦セットを決定するステップと、
前記ネットワーク接続を介して、前記健康評価および前記提案健康関連推薦セットを示すデータを前記電子装置に送信し、前記電子装置は、前記ユーザが、前記提案健康関連推薦セットに関連する選択セットを作成することを可能にするように構成されるステップと、を含むことを特徴とするコンピュータ実行方法。
【請求項２】
前記インタフェースに関連する前記入力セットを受信するステップは、
人口統計学的情報、身体測定情報、生活スタイル情報、運動情報、食事習慣情報、食事制限情報、健康目標情報および所望する消費情報の少なくとも一つを受信するステップを含むことを特徴とする請求項１に記載のコンピュータ実行方法。
【請求項３】
前記入力セットの少なくとも一部を分析して前記ユーザの前記健康評価を決定するステップは、
（ｉ）前記入力セットに含まれる前記生活スタイル情報および前記運動情報に基づく前記ユーザの生活スタイルスコア、および、（ｉｉ）前記入力セットに含まれる前記食事習慣情報に基づく前記ユーザの食事スコア、の少なくとも一方を算出するステップと、
前記生活スタイルスコアおよび前記食事スコアの少なくとも一方に基づいて前記ユーザの前記健康評価を決定するステップとを含むことを特徴とする請求項２に記載のコンピュータ実行方法。
【請求項４】
前記ユーザの前記健康評価を決定するステップは、さらに、前記入力セットに含まれる前記人口統計学的情報および前記身体測定情報に基づくことを特徴とする請求項３に記載のコンピュータ実行方法。
【請求項５】
前記ユーザの前記健康評価を決定するステップは、さらに、前記入力セットに含まれる前記健康目標情報に基づくことを特徴とする請求項３に記載のコンピュータ実行方法。
【請求項６】
前記ユーザの前記提案健康関連推薦セットを決定するステップは、
少なくとも前記所望する消費情報に基づいて、前記ユーザの前記提案健康関連推薦を決定するステップを含み、前記提案健康関連推薦セットのそれぞれは、対応する前記製品セットの様々な価格点を示すことを特徴とする請求項２に記載のコンピュータ実行方法。
【請求項７】
前記提案健康関連推薦セットを決定するステップは、さらに、前記入力セットに含まれる前記健康目標情報に基づくことを特徴とする請求項６に記載のコンピュータ実行方法。
【請求項８】
前記提案健康関連推薦セットは、さらに、購入可能なサービスセットを示すことを特徴とする請求項１に記載のコンピュータ実行方法。
【請求項９】
さらに、
前記ネットワーク接続を介して、前記電子装置から、前記提案健康関連推薦セットに関連する前記選択セットを受信するステップと、
前記選択セットに従って、前記ユーザと購入取引を実行するステップとを含むことを特徴とする請求項１に記載のコンピュータ実行方法。
【請求項１０】
（ｉ）前記ユーザの前記健康評価、および、（ｉｉ）前記ユーザの前記提案健康関連推薦セットを決定するステップは、
前記入力セットの少なくとも一部に従って、ルックアップテーブルセットを調査するステップと、
前記ルックアップテーブルセットの調査に基づいて、（ｉ）前記ユーザの前記健康評価、および、（ｉｉ）前記ユーザの前記提案健康関連推薦セットを決定するステップとを含むことを特徴とする請求項１に記載のコンピュータ実行方法。
【請求項１１】
さらに、
前記提案健康関連推薦セットに少なくとも一部に基づいて、前記ユーザがソーシャルネットワーキングサービスを介して、少なくとも一人の追加ユーザと接続することを可能とするステップを含むことを特徴とする請求項１に記載のコンピュータ実行方法。
【請求項１２】
健康関連推薦を動的に生成するように構成されたサーバであって、
少なくとも１つのネットワーク接続を介して、データを通信するように構成さえる送受信機と、
コンピュータ可読命令セットを記憶するメモリと、
前記送受信機および前記メモリとインタフェース接続し、前記コンピュータ可読命令セットを実行するように構成されたプロセッサと、
を備え、
前記プロセッサは、
電子装置が、前記電子装置のユーザが入力セットを受信するように構成されるインタフェースをアクセスすることを可能とし、
前記送受信機を介して、前記電子装置から、前記ユーザに関連する健康関連情報セットを含む、前記インタフェースに関連する前記入力セットを受信し、
前記入力セットの少なくとも一部に基づいて、（ｉ）前記ユーザの健康評価、および、（ｉｉ）購入可能な製品セットをそれぞれ示す、前記ユーザの提案健康関連推薦セットを決定し、
前記送受信機を介して、前記健康評価および前記提案健康関連推薦セットを示すデータを前記電子装置に送信し、前記電子装置は、前記ユーザが前記提案健康関連推薦セットに関連する選択セットを作成することを可能とするように構成されることを特徴するサーバ。
【請求項１３】
前記入力セットは、人口統計学的情報、身体測定情報、生活スタイル情報、運動情報、食事習慣情報、食事制限情報、健康目標情報、および所望する消費情報の少なくとも一つを含むことを特徴とする請求項１２に記載のサーバ。
【請求項１４】
前記入力セットの少なくとも一部を分析して前記ユーザの前記健康評価を決定するため、前記プロセッサは、
（ｉ）前記入力セットに含まれる前記生活スタイル情報および前記運動情報に基づく前記ユーザの生活スタイルスコア、および、（ｉｉ）前記入力セットに含まれる前記食事習慣情報に基づく前記ユーザの食事スコア、の少なくとも一方を算出し、
前記生活スタイルスコアおよび前記食事スコアの少なくとも一方に基づいて前記ユーザの前記健康評価を決定するように構成されることを特徴とする請求項１３に記載のサーバ。
【請求項１５】
前記プロセッサは、さらに、前記入力セットに含まれる前記人口統計学的情報および前記身体測定情報に基づいて、前記ユーザの前記健康評価を決定することを特徴とする請求項１４に記載のサーバ。
【請求項１６】
前記プロセッサは、さらに、前記入力セットに含まれる前記健康目標情報に基づいて、前記ユーザの前記健康評価を決定することを特徴とする請求項１４に記載のサーバ。
【請求項１７】
前記ユーザの前記提案健康関連推薦セットを決定するため、前記プロセッサは、
少なくとも前記所望する消費情報に基づいて、前記ユーザの前記提案健康関連推薦を決定し、前記提案健康関連推薦セットのそれぞれは、対応する前記製品セットの様々な価格点を示すように構成されることを特徴とする請求項１３に記載のサーバ。
【請求項１８】
前記プロセッサは、さらに、前記入力セットに含まれる前記健康目標情報に基づいて、前記提案健康関連推薦セットを決定することを特徴とする請求項１７に記載のサーバ。
【請求項１９】
前記提案健康関連推薦セットは、さらに、購入可能なサービスセットを示すことを特徴とする請求項１２に記載のサーバ。
【請求項２０】
前記プロセッサは、さらに、
前記送受信機を介して、前記電子装置から、前記提案健康関連推薦セットに関連する前記選択セットを受信し、
前記選択セットに従って、前記ユーザと購入取引を実行するように構成されることを特徴とする請求項１２に記載のサーバ。
【請求項２１】
（ｉ）前記ユーザの前記健康評価、および、（ｉｉ）前記ユーザの前記提案健康関連推薦セットを決定するため、前記プロセッサは、
前記入力セットの少なくとも一部に従って、ルックアップテーブルセットを調査し、
前記ルックアップテーブルの調査に基づいて、（ｉ）前記ユーザの前記健康評価、および、（ｉｉ）前記ユーザの前記提案健康関連推薦セットを決定するように構成されることを特徴とする請求項１２に記載のサーバ。
【請求項２２】
健康関連推薦を動的に生成する電子装置におけるコンピュータ実行方法であって、
ユーザに関連する健康関連情報セットをアクセスするステップと、
前記健康関連情報セットの少なくとも一部から入力セットを生成するステップと、
ネットワーク接続を介して、（ｉ）前記ユーザの健康評価、および、（ｉｉ）提案健康関連推薦セットのそれぞれが購入可能な製品セットを示す、前記ユーザの提案健康関連推薦セットをサーバに送信するステップと、
前記ネットワーク接続を介して、前記サーバから、前記健康評価および前記健康関連推薦セットを示すデータを受信するステップと、
ユーザインタフェースを介して、前記健康評価および前記提案健康関連推薦セットを示すデータを提示するステップと、
前記ユーザインタフェースを介して、前記ユーザが前記提案健康関連推薦セットに関連する選択セットを作成することを可能とするステップと、を含むことを特徴とする電子装置におけるコンピュータ実行方法。
【請求項２３】
前記健康関連情報セットをアクセスするステップは、
追加ネットワーク接続を介して、追加電子装置から、前記追加電子装置により記録された前記健康関連情報セットを受信するステップを含むことを特徴とする請求項２２に記載のコンピュータ実行方法。
【請求項２４】
前記追加電子装置からの前記健康関連情報セットを受信するステップは、
前記追加電子装置の前記健康関連情報セットの記録に応答して、前記追加電子装置から前記健康関連情報セットを自動的に受信するステップを含むことを特徴とする請求項２３に記載のコンピュータ実行方法。
【請求項２５】
前記追加電子装置からの前記健康関連情報セットを受信するステップは、
前記追加ネットワーク接続を介して、前記追加電子装置に接続するステップと、
前記追加ネットワーク接続を介して、前記追加電子装置から前記健康関連情報セットを検索するステップとを含むことを特徴とする請求項２３に記載のコンピュータ実行方法。
【請求項２６】
前記健康関連情報セットの少なくとも一部から前記入力セットを生成するステップは、
前記健康関連情報セットを分析し、（ｉ）前記ユーザの改善領域セット、および、（ｉｉ）前記ユーザの推定健康目標セットの少なくとも一方を自動的に決定するステップを含むことを特徴とする請求項２２に記載のコンピュータ実行方法。
【請求項２７】
前記ユーザに関連する前記健康関連情報セットをアクセスするステップは、
前記ユーザインタフェースを介して、前記ユーザから前記健康関連情報セットを受信するステップを含むことを特徴とする請求項２２に記載のコンピュータ実行方法。
【発明の詳細な説明】
【技術分野】
【０００１】
［関連出願の相互参照］
本出願は、２０１６年７月２９日に提出された米国特許出願第６２／３６８，６４４号の優先権を主張するものであり、その全内容は参照により本明細書に組み込まれる。
【０００２】
本開示は、個人の総体的な健康および健康状態を評価し、個人向けに健康関連推薦を動的に生成する技術に関する。
【背景技術】
【０００３】
全ての年齢の個人は、様々な食事の改善、生活スタイルおよび運動の調整、および／または他の方法により、健康レベルを改善しようとすることが多い。特定の状況において、個人は、認可された医師が特定の薬品や製品を処方することを伴う、医学的助言を求める。他の状況において、個人は処方箋なしで入手可能な特定の健康関連製品を購入することもある。これらの製品は、一般に栄養補助食品として知られており、栄養素、健康補助食品、ハーブ製品、および／または、特定の食事あるいは加工食品（例えば、シリアル、スープ、飲料）を含む。他の利点の中で、栄養補助食品は、ビタミン、ミネラル、オメガ３脂肪酸および他の栄養素を含む重要な栄養素を供給することにより、個人が適切な栄養を与えられることを確実に支援する。
【０００４】
研究は、栄養補助食品の定期的な摂取は、病気のリスク因子（例えば、トリグリセリド、ホモシステイン、Ｃ反応性単複室レベル、コレストロール対ＨＤＬ比）の低下、ビタミンおよびミネラル不足の修正、および、高血圧、糖尿病および心血管疾患を含む病気のリスクの低下等、多種多様な健康上の利益を与えることを示している。さらに、栄養補助食品製品のユーザは、非ユーザと比較して高い健康レベルを報告している。
【発明の概要】
【発明が解決しようとする課題】
【０００５】
しかし、多くの個人は栄養学的ギャップに気が付いていない。また、様々な栄養補助食品製品自体が存在するとともに、栄養補助食品の製造業者および販売業者が多く存在する。個人が栄養学的ギャップを評価し、有効な栄養補助食品製品および／または製品計画を調査し、最終的に個人の健康目標を反映させた栄養補助食品製品および／または製品計画を選択することは時間がかかり、費用がかかり、大変である。
【０００６】
したがって、個人の健康目標を反映する栄養補助食品製品および／または製品計画を動的に決定し、再調査および購入のために個人に栄養補助食品製品および／または製品プランを自動的に提供するプラットフォームおよび技術の機会がある。
【課題を解決するための手段】
【０００７】
実施形態により、健康関連推薦を動的に生成するコンピュータ実行方法を提供する。方法は、電子装置が、前記電子装置のユーザから入力セットを受信するように構成されるインタフェースをアクセスすることを可能とし、ネットワーク接続を介して、前記電子装置から、前記インタフェースに関連し、前記ユーザに関連する健康関連情報セットを含む前記入力セットを受信し、コンピュータプロセッサにより、前記入力セットの少なくとも一部に基づいて、（ｉ）前記ユーザの健康評価、および、（ｉｉ）それぞれ購入可能な製品セットを示す、前記ユーザの提案健康関連推薦セットを決定し、前記ネットワーク接続を介して、前記健康評価および前記提案健康関連推薦セットを示すデータを前記電子装置に送信し、前記電子装置は、前記ユーザが、前記提案健康関連推薦セットに関連する選択セットを作成することを可能とする。
【０００８】
他の実施形態において、健康関連推薦を動的に生成するように構成されるサーバを提供する。サーバは、少なくとも１つのネットワーク接続を介して、データを通信するように構成さえる送受信機と、コンピュータ可読命令セットを記憶するメモリと、前記送受信機および前記メモリとインタフェース接続するプロセッサと、を有する。前記プロセッサは、前記コンピュータ可読命令を実行し、電子装置が、前記電子装置のユーザが入力セットを受信するように構成されるインタフェースをアクセスすることを可能とし、前記送受信機を介して、前記電子装置から、前記ユーザに関連する健康関連情報セットを含む、前記インタフェースに関連する前記入力セットを受信し、前記入力セットの少なくとも一部に基づいて、（ｉ）前記ユーザの健康評価、および、（ｉｉ）購入可能な製品セットをそれぞれ示す、前記ユーザの提案健康関連推薦セットを決定し、前記送受信機を介して、前記健康評価および前記提案健康関連推薦セットを示すデータを前記電子装置に送信し、前記電子装置は、前記ユーザが前記提案健康関連推薦セットに関連する選択セットを作成することを可能とするように構成される。
【図面の簡単な説明】
【０００９】
【図１】いくつかの実施形態に係る健康関連推薦に関連する機能を促進するように構成される構成要素の例示的なシステムの概観
【００１０】
【図２】いくつかの実施形態に係る情報の提供および健康関連推薦の動的生成に関連する例示的なブロック図
【００１１】
【図３】実施形態に係る健康管理情報および健康関連推薦の提供に関連する例示的なインタフェース
【図４Ａ】実施形態に係る健康管理情報および健康関連推薦の提供に関連する例示的なインタフェース
【図４Ｂ】実施形態に係る健康管理情報および健康関連推薦の提供に関連する例示的なインタフェース
【図５】実施形態に係る健康管理情報および健康関連推薦の提供に関連する例示的なインタフェース
【図６】実施形態に係る健康管理情報および健康関連推薦の提供に関連する例示的なインタフェース
【図７】実施形態に係る健康管理情報および健康関連推薦の提供に関連する例示的なインタフェース
【図８】実施形態に係る健康管理情報および健康関連推薦の提供に関連する例示的なインタフェース
【図９】実施形態に係る健康管理情報および健康関連推薦の提供に関連する例示的なインタフェース
【図１０】実施形態に係る健康管理情報および健康関連推薦の提供に関連する例示的なインタフェース
【図１１】実施形態に係る健康管理情報および健康関連推薦の提供に関連する例示的なインタフェース
【図１２】実施形態に係る健康管理情報および健康関連推薦の提供に関連する例示的なインタフェース
【図１３】実施形態に係る健康管理情報および健康関連推薦の提供に関連する例示的なインタフェース
【図１４】実施形態に係る健康管理情報および健康関連推薦の提供に関連する例示的なインタフェース
【図１５】実施形態に係る健康管理情報および健康関連推薦の提供に関連する例示的なインタフェース
【図１６】実施形態に係る健康管理情報および健康関連推薦の提供に関連する例示的なインタフェース
【図１７】実施形態に係る健康管理情報および健康関連推薦の提供に関連する例示的なインタフェース
【図１８Ａ】実施形態に係る健康管理情報および健康関連推薦の提供に関連する例示的なインタフェース
【図１８Ｂ】実施形態に係る健康管理情報および健康関連推薦の提供に関連する例示的なインタフェース
【図１９Ａ】実施形態に係る健康管理情報および健康関連推薦の提供に関連する例示的なインタフェース
【図１９Ｂ】実施形態に係る健康管理情報および健康関連推薦の提供に関連する例示的なインタフェース
【図２０】実施形態に係る健康管理情報および健康関連推薦の提供に関連する例示的なインタフェース
【００１２】
【図２１Ａ】いくつかの実施形態に係る情報提供および健康関連推薦の動的生成に関連する例示的なブロック図
【図２１Ｂ】いくつかの実施形態に係る情報提供および健康関連推薦の動的生成に関連する例示的なブロック図（続き）
【図２１Ｃ】いくつかの実施形態に係る情報提供および健康関連推薦の動的生成に関連する例示的なブロック図（続き）
【００１３】
【図２２Ａ】いくつかの実施形態に係る健康関連推薦の動的生成に関連する例示的なフロー図
【図２２Ｂ】いくつかの実施形態に係る健康関連推薦の動的生成に関連する例示的なフロー図
【００１４】
【図２３】いくつかの実施形態に係る例示的なサーバのブロック図
【発明を実施するための形態】
【００１５】
本実施形態は、特に、個人の健康関連推薦の動的および自動的生成に関する。特定の態様により、個人は電子装置を使用して、バックエンドサーバにより対応されるインタフェースセットにアクセスして相互作用し、インタフェースセットは特定の個人の嗜好（例えば、価格嗜好）と共に、健康特有問題に関連する質問および選択を有する。
【００１６】
個人は、電子装置を使用して、インタフェースセット内で情報を入力し、選択を行い、バックエンドサーバは、入力された情報および選択を蓄積し、分析する。具体的には、バックエンドサーバは各個人の情報を蓄積、分析し、その個人の現在の健康状態を表現するパラメータを決定する。実施において、パラメータは、個人の食事摂取量を表現する現在食事状態、および、個人の活動および生活スタイル選択を表現する現在生活スタイル状態を有する。バックエンドサーバは、入力された嗜好と共に、パラメータに基づいて、個人の一つ以上の健康関連推薦を動的かつ自動的に生成する。各健康関連推薦は、個人が購入を選択する一つ以上の製品あるいはサービスを有する。推薦はさらに、食事および生活スタイル修正のための提案セットも有する。
【００１７】
したがって、システムおよび方法は多くの利益を提供する。具体的には、システムおよび方法は、適合した、効果的な健康関連推薦を個人に提供することができる。また、システムおよび方法は、個人が推薦を迅速に受信するという利益が提供されるように、受信した情報に基づいて健康関連推薦を自動的活動的に生成する。さらに、システムおよび方法は、個人が健康関連推薦に含まれる製品およびサービスの一つ以上の購入を選択することを可能とし、また、システムおよび方法は電子決済および購入機能に対応する。さらに個人は、購入した製品およびサービスの消費あるいは使用の健康利益を提供される。さらに、個人は、システムおよび方法を使用して、個人の健康目標を反復的に調整あるいは改善する。なお、他の利益が想定されることも理解されたい。
【００１８】
記載するシステムおよび方法は、ビジネス上の課題、すなわち、個人の健康関連推薦を提供する有効性の改善に関する。従来のシナリオにおいて、個人は特定の製品およびサービスを手作業で調査しなければならず、非効果的で時間がかかった。また、個人は専門家に相談することもできるが、相談も時間がかかり、高費用になることもある。対照的に、システムおよび方法は、個人が食事および生活スタイルに関する情報を効率的および効果的に入力し、入力情報を自動的に分析して、個人の健康関連推薦を決定することができ、個人が一般的に使用可能な様々なデジタル装置を使用してオンラインポータルにアクセスし、健康関連推薦に含まれる製品およびサービスを購入することを可能とする。
【００１９】
したがって、システムおよび方法は、インターネットで実施するための要件と共に、インターネット以前の世界から知られている一部のビジネス慣行（健康推薦の提供）の実施を単に記載しているのではない。その代わりに、システムおよび方法は、バックエンドサーバおよびユーザにより操作される電子装置の間の通信を可能とするコンピュータネットワークを組み込む。よって、特にコンピュータネットワークにおいて生じる課題を克服するため、システムおよび方法は必然的にコンピュータ技術に根差している。さらに、記載するシステムおよび方法は、技術的課題、すなわち、複数の電子装置における動的データ収集、分析および通信の自動的かつ動的確立に対処する。
【００２０】
図１は、システムおよび方法を促進するように構成される構成要素のシステム１００の概観を示す。システム１００は１つの例にすぎず、代替えあるいは追加の構成要素が想定されることを理解されたい。
【００２１】
図１に示すように、システム１００は、一組の電子装置１０１、１０２、１０３を有する。実施形態により、各電子装置１０１、１０２、１０３はモバイル装置（例えば、スマートフォン）、デスクトップあるいはノートブックコンピュータ、タブレット、ファブレット、ＧＰＳ（グローバル・ポジショニングシステム）あるいはＧＰＳ対応装置、スマートウォッチ、スマートグラス、スマートブレスレット、ウェラブル電子装置、ＰＤＡ（携帯情報端末）、ポケットベル、無線通信のために構成されるコンピュータ装置等の任意の種類の電子装置である。図１は３つの電子装置を示しているが、それより多い、あるいはそれより少ない電子装置が想定されることを理解されたい。
【００２２】
システム１００は、さらにサーバ１１０を有する。実施形態により、サーバ１１０はハードウエアおよびソフトウエア構成要素の任意の組み合わせを有し、任意の種類のエンティティ（例えば、会社、企業、法人）あるいは個人に関連付けられる。サーバ１１０は、システムおよび方法を促進するために構成される一つ以上のモジュールあるいはアプリケーションの実行に対応する。さらに、サーバ１１０はデータベース１０８、あるいは、サーバ１１０によりアクセス可能なデータを記憶するように構成される他の種類のメモリ、および／または、それらの構成要素とインタフェース接続する。
【００２３】
各電子装置１０１、１０２、１０３は、一つ以上のコンピュータネットワーク１０５を介して、サーバ１１０と、その逆と通信するように構成される。実施形態において、コンピュータネットワーク１０５は、標準あるいは技術（例えば、ＧＳＭ（登録商標）、ＣＤＭＡ、ＴＤＭＡ、ＷＣＤＭＡ（登録商標）、ＬＴＥ、ＥＤＧＥ、ＯＦＤＭ、ＧＰＲＳ、ＥＶ−ＤＯ、ＵＷＢ、インターネット、イーサネット（登録商標）を含むＩＥＥＥ  ８０２、ＷｉＭａｘ、Ｗｉ−Ｆｉ、ブルートゥース（登録商標）等）を介して任意の種類の有線あるいは無線データ通信に対応する。例として、電子装置１０３は、ＬＴＥ接続を介してサーバ１１０と通信する。
【００２４】
実施形態により、サーバ１１０は、各電子装置１０１、１０２、１０３によりアクセス可能なインタフェースセットを設け、対応し、および／または、管理する。実施において、サーバ１１０はインタフェースセットを有するウェブページあるいはウェブサイトを設け、各電子装置１０１、１０２、１０３によりアクセス可能である。他の実施において、各電子装置１０１、１０２、１０３はインタフェースセットに対応する専用アプリケーションをダウンロードおよびインストールし、専用アプリケーションはサーバ１１０とコンピュータネットワーク１０５を介して通信する。インタフェースセットをアクセスする電子装置１０１、１０２、１０３の追加あるいは代替え媒体が想定されることを理解されたい。
【００２５】
実施形態により、電子装置１０１、１０２、１０３のセットのそれぞれは、コンピュータネットワーク１０５等の様々な有線あるいは無線接続を介して追加電子装置のセット（図１において不図示）とインターフェース接続する。追加電子装置のセットは、監視装置（例えば、血圧モニタ、心拍数モニタ、心電計モニタ、呼吸数モニタ、睡眠モニタ、血中酸素、血液電解質、血中脂質および血糖等の連続あるいは非連続モニタ）、様々なセンサを組み込んだフィットネストラッカー、および／または、体重計および体脂肪計を含む、ユーザからの健康関連データまたは情報を収集可能な他の装置を有する。
【００２６】
追加電子装置セットのそれぞれは、追加電子装置の動作中にデータを収集する一つ以上のセンサ（例えば、加速度計、位置モジュール、ジャイロスコープ等）で構成される。追加電子装置セットのそれぞれは、様々なローカル、広域、あるいはパーソナルエリアネットワーク接続等のネットワーク接続（例えば、コンピュータネットワーク１０５）を介して、収集したデータを電子装置に送信する。実施において、追加電子装置がデータを収集すると、追加電子装置は電子装置１０１、１０２、１０３のいずれかに自動接続し、収集したデータを送信する。他の実施において、電子装置１０１、１０２、１０３のいずれかは追加電子装置に接続し、収集したデータを検索する。
【００２７】
一般に、収集したデータは、健康関連情報の代表であり、未加工データフォーマットである。したがって、電子装置は収集したデータを分析して、特定のユーザ入力の代表的なパターンあるいは他の測定基準を特定する。パターンあるいは他の測定基準は、ユーザの改善領域セット、および／または、ユーザの推定健康目標セットを表現する。例えば、収集したデータは血圧であり、電子装置は、ユーザの血圧レベルが高いこと、および、改善領域は血圧を低下させることであることを判定する。他の例において、収集したデータがユーザの平均８０００歩／日を示す推定測定値である場合、電子装置はユーザの目標は１００００歩／日を達成することであると判定する。
【００２８】
図２は、情報および動的生成健康関連推薦の提供に関連するブロック図２００を示す。ブロック２００は、図１に関連して説明したサーバ１１０、および／または、電子装置１０１、１０２、１０３のいずれか等の一つ以上の電子装置により実行される。一般に、ユーザは電子装置を使用して情報を入力し、選択を行い、サーバは、情報および選択に基づいて様々な機能を実行する。
【００２９】
ブロック２０５において、サーバはインタフェースセットとして電子装置によりアクセス可能な対話型ウェブベース質問表を提供する。実施形態において、ユーザは電子装置を使用して選択を行い、対話型ウェブベース質問表に情報を入力する。具体的には、ブロック２１０において、ユーザは人口統計学的情報（例えば、性別、年齢等）および身体測定情報（例えば、体重、身長等）を入力する。人口統計学的情報および身体測定情報に基づいて、サーバはブロック２１１に示すように特定データを編集する（図示するように、性別、年齢およびボディマス指数（ＢＭＩ））。
【００３０】
ブロック２１５において、ユーザは生活スタイルおよび運動質問表に応答する。具体的には、生活スタイルおよび運動質問表は、ユーザが、運動活動に関連する情報と共に、特定の生活スタイル習慣および活動に関連する情報を入力することができる。ブロック２１１に含まれるデータと共に、生活スタイルおよび運動質問表からの情報を使用して、サーバはブロック２１６により示される生活スコアスコアを算出する。実施において、生活スタイルスコアは０〜１００の範囲の数値スコア（あるいは他の種類のスコア）であり、ユーザの生活スタイルの全体的な質を反映している
【００３１】
ブロック２２０で、ユーザは食習慣質問表に応答する。具体的には、食習慣質問表は、ユーザが食事活動および習慣に関連する情報を入力することができる。ブロック２１１に含まれるデータと共に、食習慣質問表からの情報を使用して、サーバはブロック２２１により示される食事スコアを算出する。実施において、食事スコアは０〜１００の範囲の数値スコア（あるいは他の種類のスコア）であり、ユーザの食事の全体的な質を反映している。
【００３２】
ブロック２２２において、ユーザは任意の食事制限を入力する。例えば、ユーザはグルテン除去、大豆除去、ナッツ除去、ベジタリアン、コーシャー、あるいは他の制限の一つ以上を指定する。したがって、ブロック２２５において、ユーザは全体的な健康、健康な心臓、統合的な快適さ、強い骨、健康的な老化、免疫の支援、鮮明な記憶力および集中、活力増強、健康的な消化、減量、快眠、ストレス低減、体型維持、および／または他の健康目標等の一つ以上の健康目標を入力する。実施形態において、一つ以上の健康目標は、ブロック２１１に含まれるデータに少なくとも部分的に基づく。さらにブロック２２６において、ユーザは日常の消費習慣を入力する。具体的には、ユーザは健康関連推薦に関連する任意の使用可能な製品あるいはサービスの周期的に所望する消費量（例えば、所望する毎日の消費量）を入力する。
【００３３】
ブロック２３０において、サーバは、ユーザの食事および生活スタイル評価および推薦のセットを決定し、生成する。具体的には、図２に示すように、サーバは生活スタイルスコア（ブロック２１６）、食事スコア（ブロック２２１）、および、ブロック２１１および２２５に含まれるデータの一つ以上に基づいて評価および推薦を決定し、生成する。食事および生活スタイル評価は、ユーザの食事および生活スタイル習慣および活動それぞれの質を示し、推薦は、ユーザの食事および生活スタイル習慣および活動のヒントあるいは改善を示す。
【００３４】
ブロック２３５で、サーバはユーザの製品推薦を決定し、生成する。具体的には、図２に示すように、サーバはブロック２２５の一つ以上の健康目標、ブロック２２１で示された任意の食事制限、およびブロック２２６の日常消費習慣に基づいて製品推薦を決定し、生成する。実施形態において、製品推薦は複数の価格点で分割され、各製品推薦はユーザにより購入のために有効な少なくとも１つの製品および／まてあはサービスを示す。また、製品推薦を決定、生成するため、サーバはユーザ入力情報に従って一つ以上のルックアップテーブルを調査し、一つ以上のルックアップテーブルは製品を有する。図２に関連する入力および機能は、図３〜１７、１８Ａ、１８Ｂ、１９Ａ、１９Ｂ、２０を参照して後述する。
【００３５】
一般に、図１に関連して説明したように、サーバ１１０および／または電子装置１０１、１０２、１０３のいずれか等の一つ以上の電子装置は、ユーザによるシステムおよび方法の利用に関連するデータを編集して集約する。具体的には、電子装置はユーザ供給情報、決定した健康関連推薦、決定した健康評価、ユーザが購入する製品推薦、およびそれらの関係を示すデータを編集し、集約する。例えば、電子装置は決定した推薦、評価、ユーザ供給情報（例えば、人口統計学的情報、関心事）および／または製品要求に基づいて、ユーザが最も頻繁に購入する製品を決定する。
【００３６】
電子装置は、この情報を使用して、システムおよび方法を改善する。具体的には、電子装置は追加のコンテンツがユーザに有用であることを提案する、および／または、追加の製品が推薦される（例えば、満たされていない、あるいは予想外の要求に対処するため）。さらに、電子装置は例えば、システムロジックあるいは言語における変化がエンドユーザ行動にどのように影響を与えるかの判定のテストを実行する（例えば、評価を完了する、製品注文を行う、あるいは進行中監視の評価を使用する）。なお、追加の変形はシステムおよび方法の利用を通して収集されたデータに基づいて想定されることを理解されたい。
【００３７】
図３、４Ａ、４Ｂ、５〜１７、１８Ａ、１８Ｂ、１９Ａ、１９Ｂおよび２０は、個人の健康および健康状態、および健康関連推薦の生成に関連する例示的なインタフェースを示す。一つ以上の電子装置（例えば、ノートブックコンピュータあるいはスマートフォン）は、インタフェースを表示し、および／または、インタフェースを介してユーザから選択および入力を受信するように構成される。例えば、電子装置で動作するように構成される専用アプリケーションはインタフェースを表示し、ユーザは電子装置を使用してインタフェースを見て、対話する。インタフェースおよびその内容は単に例であり、その代替えあるいは追加のコンテンツが推定されることを理解されたい。実施形態により、電子装置はバックエンドサーバ（例えば、図１に関連して説明したサーバ１１０）とインタフェース接続し、インタフェースの間のナビゲーションと共に、インタフェース内で提示される情報に関連する情報を検索する。
【００３８】
図３は、評価機能を説明し、ユーザが健康評価を開始することを可能とする初期インタフェース３００を示す。初期インタフェース３００は、ユーザが選択３０１を介してメンバとしてログインする、あるいは、選択３０２を介してゲストとして進むことを可能とする。
【００３９】
図４Ａは、ユーザが回答する質問セットを有するインタフェース４００を示す。具体的には、インタフェース４００は、ユーザがユーザの年齢（４０１）、性別（４０２）、体重および身長（４０３）を入力することを可能とする。図４Ｂは、ユーザが性別として「女性」を選んだ場合に表示されるインタフェース４０５を示す。インタフェース４０５は、ユーザがユーザに適用する特定の状況（４０６）を入力することを可能とする。図５は、ユーザがユーザの活力の程度（５０１）、ストレスの頻度（５０２）、睡眠習慣（５０３）を入力することが可能である。図６は、ユーザが記憶／集中の測定基準（６０１）、運動頻度（６０２）、運動の説明（６０３）を入力することが可能なインタフェース６００を示す。
【００４０】
図７は、ユーザがユーザの自宅の洗剤に含まれる漂白剤あるいはアンモニアを選択することが可能である（７０１）インタフェース７００を示す。図８は、ユーザが果物消費量（８０１）、野菜消費量（８０２）、穀物消費量（８０３）を選択することが可能なインタフェース８００を示す。図９は、ユーザが乳製品消費量（９０１）、魚類消費量（９０２）、水消費量（９０３）を選択することが可能なインタフェースを示す。
【００４１】
図１０は、ユーザが加糖飲料消費量（１００１）、健康に悪いスナック消費量（１００２）を選択することが可能なインタフェース１０００を示す。図１１は、ユーザが朝食の説明（１１０１）、有機食品購入頻度（１１０２）を選択することが可能なインタフェース１１００を示す。図１２は、ユーザが任意の食事制限（１２０１）（図示するように、グルテン除去、大豆除去、ナッツ除去、乳製品除去、ベジタリアン、コーシャー、および／あるいは、なし）を入力することが可能なインタフェース１２００を示す。
【００４２】
図１３は、ユーザが最大３つの健康目標を特定（１３０１）することが可能なインタフェース１３００を示す。実施形態において、ユーザは最大３つのドロップダウンメニューを使用して健康目標を選択し、健康目標は、全体的な健康、健康な心臓、統合的な快適さ、強い骨、健康的な老化、免疫の支援、鮮明な記憶力および集中、活力増強、健康的な消化、減量、快眠、ストレス低減、体型維持、および／または他の健康目標等のいずれかを含む。図１４は、最適な健康を達成するためにユーザが所望する毎日の消費量を選択（１４０１）することが可能なインタフェース１４００を示す。図１５は、ユーザがユーザの名（１５０１）、姓（１５０２）、電子メールアドレス（１５０３）を入力することが可能なインタフェース１５００を示す。
【００４３】
図１６は、図４〜１４に関連して説明したユーザの選択および応答に基づいて、サマリおよび推薦を有するインタフェース１６００を示す。実施において、バックエンドサーバはインタフェース１６００のサマリおよび推薦を決定し、生成する。図１６に示すように、インタフェース１６００は、対応するサマリおよび食事改善のための推薦セットと共に、ユーザの食事に質を反映した食事スコア（１００のうちの６３として示される）を示す選択１６０１を有する。インタフェース１６００はさらに、対応するサマリおよび生活スタイル改善のための推薦セットと共に、ユーザの生活スタイルおよび活動の質を反映した生活スタイルスコア（１００のうちの８６として示される）を示す選択１６０２を有する。また、インタフェース１６００はユーザの身長および体重から算出したボディマス指標（ＢＭＩ）（１６０３）を示す。
【００４４】
図１７は、ユーザの第１の健康目標を説明するインタフェース１７００を示す。実施形態において、第１の健康目標は全体に一般的であってもよいし、図４Ａ、４Ｂ、５〜１４、および特に図１３に関連した説明したユーザの選択および応答に基づいてユーザ特有であってもよい。インタフェース１７００に示される例示的な第１の健康目標は、健康な心臓、健康的な老化、免疫の支援、鮮明な記憶力、活力増強である。
【００４５】
図１８Ａは、健康を改善し、維持する目的のための製品セットおよび／またはサービスセットをそれぞれ含むバンドルのセットを示し、説明する。実施形態において、バックエンドシステムは入力されたユーザ選択および応答に従ってバンドルのセットに含まれる製品セットおよび／またはサービスセットを決定し、編集する。さらに、実施形態においてバックエンドシステムは、対応する健康計画の広範さに基づいて個々のバンドルを決定する。実施形態により、製品は栄養素、健康補助食品、ハーブ製品、および／または、特定の食事あるいは加工食品（例えば、シリアル、スープ、飲料）（一般的に、栄養補助食品）を含む。さらに、サービスは製品のメンバー価格、特別提供、販売の早期利用可能、情報あるいは品目、および／または他の利益を提供する一つ以上のメンバーオプションを含む。
【００４６】
図１８Ａで示す例示的なインタフェース１８００において、バンドルの３つのレベルは基本（１８０１）、上級（１８０２）、総合（１８０３）を有する。各バンドルは、対応する価格点あるいは費用を有する（図示するように、基本は３ドル／日未満の費用を有し、上級は７ドル／日未満の費用を有し、総合は９ドル／日未満の費用を有する）。バンドル１８０１、１８０２、１８０３およびそれらの費用は、図１４で入力した所望する毎日の消費量に基づく。実施形態において、対応する価格点あるいは費用は、対応する製品および／またはサービス、対応する製品および／またはサービスの数、製品における供給量、消費頻度推薦、および／または他の要素から算出される。対応する価格点あるいは費用は、ユーザが選択する製品および／またはサービスに基づいて低減（あるいは増加）される。
【００４７】
図１８Ｂは、図１８Ａのインタフェース１８００の続きであるインタフェース１８０５を示す。図１８Ｂに示すように、インタフェース１８０５は基本バンドル（１８０１）および総合バンドル（１８０３）のための追加の製品および／またはサービスを表示する。さらに、図１８Ａおよび１８Ｂで示すように、インタフェース１８００、１８０５はユーザが一つ以上の製品および／またはサービスを選択して、選択した一つ以上の製品および／またはサービスをユーザのショッピングカートに追加することを可能とする。なお、ユーザは基本バンドル（１８０１）、上級バンドル（１８０２）、総合バンドル（１８０３）のいずれか、あるいは全部から一つ以上の製品および／またはサービスを選択することができることを理解されたい。あるいは、ユーザは「全て追加」選択１８０６、１８０７、１８０８それぞれを使用して、基本バンドル（１８０１）、上級バンドル（１８０２）あるいは総合バンドル（１８０３）から全ての製品および／またはサービスを選択することができる。例えば、ユーザが「全て追加」選択１８０７を選択した場合、上級バンドル（１８０２）に含まれる各製品およびサービスがユーザのショッピングかーとに追加される。図には示さないが、システムはユーザがショッピングカートに含まれる製品および／またはサービスの注文を行うことを可能とする電子決済機能に対応している。
【００４８】
図１９Ａは、ユーザが購入を選択する追加製品を示すインタフェース１９００を示す。具体的には、インタフェース１９００は、追加製品の第１セット（図示するように、様々な健康的なシェイク）を示す選択１９０１、および、追加製品の第２セット（図示するように、様々な栄養補助食品）を示す選択１９０２を有する。インタフェース１９００は、ユーザが一つ以上の追加製品を選択し、ショッピングカートに追加して、その後に購入することを可能とする。同様に、図１９Ｂは、追加の製品（図示するようにスターターキット）を示し、ユーザが一つ以上の追加の製品を選択してショッピングカートに追加して、その後に購入することを可能とするインタフェース１９０５を示す。
【００４９】
図２０は、ユーザにより与えられた回答および情報のサマリを示すインタフェース２０００を示す。インタフェース２０００は、食事摂取量に関する他のユーザ供給回答と共に、推薦された食事摂取量測定基準に関する食事摂取量に関するユーザ供給回答を示す食事セクション２００１を有する。同様に、インタフェース２０００は生活スタイル活動および選択に関連するユーザ供給回答を示す生活スタイルセクション２００２を有する。
【００５０】
図２１は、情報および動的生成健康関連推薦の提供に関連するブロック図２１００を示す。ブロック図２１００は、図１に関連して説明したようにサーバ１１０、および／または電子装置１０１、１０２、１０３のいずれか等、一つ以上の電子装置により実行される。一般に、ユーザは電子装置を使用して情報を入力し、選択を行い、サーバは情報および選択に基づいて様々な機能（例えば、決定および生成）を実行する。
【００５１】
ブロック図２１００は、電子装置がユーザの年齢は４未満であるか、あるいは９９より大きいかを判定する（２１０２）ことにより開始する。その場合（“ＹＥＳ”）、電子装置は製品推薦がないことを示すメッセージを表示する（２１０４）。年齢範囲は単に例であり、異なる年齢範囲が想定されることは理解されたい。そうでない場合（“ＮＯ”），電子装置はユーザの年齢が４から１２の間であるか判定する（２１０６）。その場合（“ＹＥＳ”）、電子装置はユーザはコーシャー食事制限があるか判定し（２１０８）、その場合（“ＹＥＳ”）、コーシャーテーブルに基づいてバンドルに製品を追加し（２１１０）、ユーザの他の食事制限の除外リストをチェックし（２１１４）、最終製品バンドル推薦を生成する（２１１６）。ユーザがコーシャー食事制限がない場合（“ＮＯ”）、電子装置は小児オプションテーブルに従ってバンドルに製品を追加し（２１１２）、ユーザの他の食事制限の除外リストをチェックし（２１１４）、最終製品バンドル推薦を生成する（２１１６）。
【００５２】
ユーザの年齢が４から１２の間ではない場合（“ＮＯ”）、電子装置は、ユーザが妊娠、介護あるいは妊娠しようとしているかを判定する（２１１８）。その場合（“ＹＥＳ”）、電子装置はユーザがコーシャー食事制限があるか判定し（２１２０）、ある場合（“ＹＥＳ”）、電子装置はコーシャーテーブルに基づいてバンドルに製品を追加し（２１２２）、ユーザの他の食事制限の除外リストをチェックし（２１２６）、最終製品バンドル推薦を生成する（２１１６）。ユーザがコーシャー食事制限がない場合（“ＮＯ”），電子装置は妊娠／介護オプションテーブルに従ってバンドルに製品を追加し（２１２４）、ユーザの他の食事制限の除外リストをチェックし（２１２６）、最終製品バンドル推薦を生成する（２１１６）。
【００５３】
ユーザが妊娠、介護、あるいは妊娠しようとしていない場合（“ＮＯ”）、電子装置はユーザが少なくとも１３歳であり、コーシャー食事制限があり、妊娠、介護あるいは妊娠しようとしていないかを判定する（２１２８）。その場合（“ＹＥＳ”）、電子装置はコーシャーテーブルに基づいてバンドルに製品を追加し（２１３０）、ユーザが女性であるか判定する（２１５０）。ユーザが女性である場合（“ＹＥＳ”），電子装置は女性の健康テーブルに基づいてバンドルに製品を追加し（２１３２）、健康目標テーブルに基づいてバンドルに製品を追加し（２１３４）、生活スタイルテーブルに基づいてバンドルに製品を追加し（２１３６）、食事テーブルに基づいてバンドルに製品を追加し（２１３８）、任意の食事制限の除外リストをチェックし（２１４０）、バケット制限規則に基づいて製品バンドルを作成し（２１４２）、最終バンドル推薦を提供する（２１４４）。ユーザが女性ではない場合（“ＮＯ”），電子装置は（２１３２）をスキップし、（２１３４）に進む。
【００５４】
決定が“ＮＯ”の場合（２１２８）、電子装置はＢＭＩが３０を超えるユーザの「減量」が第１の優先健康目標であるか、あるいは、「減量」が第２の健康目標であるかを判定する（２１４６）。その場合（“ＹＥＳ”）、電子装置は減量テーブルに基づいてバンドルに製品を追加し（２１４８）、任意の食事制限の除外リストをチェックし（２１５６）、アクティブあるいは減量バンドルの任意の適用可能なバケット制限を適用し（２１５８）、最終バンドル推薦を提供する（２１６０）。
【００５５】
判定が“ＮＯ”の場合（２１４６）、電子装置はユーザの運動頻度が４時間以上であるか、ユーザの運動強度が強いとみなすか、ユーザの第１の健康目標は「全体的な健康」あるいは「体型維持」であるかを判定する（２１５２）。その場合（“ＹＥＳ”），電子装置はアクティブテーブルに基づいてバンドルに製品を追加し（２１５４）、任意の食事制限の除外リストをチェックし（２１５６）、アクティブあるいは減量バンドルの任意の適用可能なバケット制限を適用し、最終バンドル推薦を提供する（２１６０）。
【００５６】
決定が“ＮＯ”の場合（２１５２）、電子装置はユーザの第１の優先健康目標が「全体的な健康」であるか、あるいは、ユーザの第１の優先目標が「全体的な健康」であり、ユーザの第２の健康目標が「減量」であり、ユーザのＢＭＩが３０より大きいかを判定する（２１６２）。その場合（“ＹＥＳ”），電子装置は全体的健康テーブルに基づいてバンドルに製品を追加し（２１６４）、ユーザが女性であるか判定する（２１５０）。そうではない場合（“ＮＯ”）、電子装置はマルチビタミン選択テーブルに基づいてバンドルに製品を追加し（２１６６）、ユーザが女性であるか判定する。
【００５７】
（２１５０）において、ユーザが女性である場合（“ＹＥＳ”）、電子装置は女性の健康テーブルに基づいてバンドルに製品を追加し（２１３２）、健康目標テーブルに基づいてバンドルに製品を追加し（２１３４）、生活スタイルテーブルに基づいてバンドルに製品を追加し（２１３６）、食事テーブルに基づいてバンドルに製品を追加し（２１３８）、任意の食事制限の除外リストをチェックし（２１４０）、バケット制限規則に基づいて製品バンドルを作成し（２１４２）、最終バンドル推薦を提供する（２１４４）。
【００５８】
（２１５０）において、ユーザが女性ではない場合（“ＮＯ”），電子装置は健康目標テーブルに基づいてバンドルに製品を追加し（２１３４）、生活スタイルテーブルに基づいてバンドルに製品を追加し（２１３６）、食事テーブルに基づいてバンドルに製品を追加し（２１３８）、任意の食事制限の除外リストをチェックし（２１４０）、バケット制限規則に基づいて製品バンドルを作成し（２１４２）、最終バンドル推薦を提供する（２１４４）。
【００５９】
図２２Ａは、健康関連推薦の動的生成の例示的な方法２２００のブロック図を示す。方法２２００は、図１に関連して説明したようにサーバ１１０等のサーバにより実行される。具体的には、サーバはユーザの電子装置によりアクセス可能な一つ以上のインタフェースに対応する。方法２２００の機能は単に例であり、追加あるいは代替えの機能が想定されることを理解されたい。
【００６０】
方法２２００は開始し、サーバは電子装置が電子装置のユーザから出力セットを受信するように構成されるインタフェースをアクセスすることを可能とする（ブロック２２０５）。実施形態において、電子装置は、サーバが提供するウェブサイトの一部として、あるいはサーバが対応する専用アプリケーションの一部として含まれるインタフェースのようなインタフェースのアクセスを要求する。インタフェースは、複数のインタフェース画面から構成されてもよい。
【００６１】
サーバは、ネットワーク接続を介して電子装置からインタフェースに関連する入力セットを受信し（ブロック２２１０）、入力セットはユーザに関連する健康関連情報セットを有する。具体的には、健康関連情報セットは人口統計学的情報、身体測定情報、生活スタイル情報、運動情報、食事習慣情報、食事制限情報、健康目標情報、および／または所望する消費情報を有する。
【００６２】
サーバは、任意で、入力セットの少なくとも一部に従ってルックアップテーブルセットを調査する（ブロック２２１５）。実施形態において、ルックアップテーブルセットは、入力セットの少なくとも一部に基づく販売に有効な様々な製品およびサービスを示す。例えば、ユーザが「健康的な心臓」の健康目標を入力した場合、サーバは心臓の健康に適合した製品を含むルックアップテーブルをアクセスする。
【００６３】
サーバは、入力セットの少なくとも一部に基づいてユーザの健康評価を決定する（ブロック２２２０）。健康評価の決定において、サーバは入力セットに含まれる任意の生活スタイル情報および運動情報に基づいて、ユーザの生活スタイルスコア（例えば、０〜１００の基準での数値スコア）を算出する。さらに、サーバは生活スタイルスコアおよび食事スコアに基づいて健康評価を決定する。
【００６４】
サーバは、入力セットの少なくとも一部に基づいて、ユーザの提案健康関連推薦セットも決定する（ブロック２２２５）。具体的には、提案健康関連推薦セットは入力セット（例えば、所望する消費情報）に基づいて変化し、各提案健康関連推薦は購入可能な製品および／またはサービスセットを示す。健康評価および提案健康関連推薦セットの決定において、入力セットの異なる（あるいは同じ）部分を使用することは理解されたい。
【００６５】
サーバは、ネットワーク接続を介して電子装置に、健康評価および提案健康関連推薦セットを示すデータを送信する（ブロック２２３０）。具体的には、データは健康評価に関連する数値スコアを有し、提案健康関連推薦セットに関連する製品および／またはサービスを示す。ユーザは、電子装置を使用してデータをアクセスし調査する。また、ユーザは電子装置を使用して提案健康関連推薦セットに関連する製品および／またはサービスのいずれかを選択する。
【００６６】
したがって、サーバはネットワーク接続を介して電子装置から、提案健康関連推薦セットに関連する製品および／またはサービスいずれかの選択セット、ユーザが購入したい製品および／またはサービスに対応する選択セットを受信する（ブロック２２３５）。よってサーバは、選択セットに従ってユーザの購入取引を実行する（ブロック２２４０）。
【００６７】
図２２Ｂは、健康関連推薦の動的生成の例示的な方法２２５０のブロック図を示す。方法２２５０は、図１に関連して説明したように電子装置１０１、１０２、１０３の一つ等、電子装置により実行される。具体的には、電子装置は電子装置のユーザによる対話を可能とするインタフェースセットを生成し、表示するように構成されるアプリケーションに対応する。方法２２５０の機能は単に例であり、追加あるいは代替えの機能が想定されることを理解されたい。
【００６８】
方法２２５０は開始し、電子装置がユーザに関連する健康関連情報セットをアクセスする（ブロック２２５５）。実施において、電子装置は電子装置のユーザインタフェースを介してユーザから健康関連情報セットを受信する。
【００６９】
他の実施において、電子装置は追加ネットワーク接続（例えば、パーソナルエリアネットワーク）を介して、追加電子装置（例えば、例えば、血圧モニタ、心拍数モニタ、心電計モニタ、呼吸数モニタ、睡眠モニタ、血中酸素、血液電解質、血中脂質および血糖等の連続あるいは非連続モニタ）から健康関連情報セットを受信し、健康関連情報は追加電子装置により記録される。電子装置は、健康関連情報セットを記録する追加電子装置に応答して、追加電子装置から健康関連情報セットを自動的に受信する。また、電子装置は追加ネットワーク接続を介して追加電子装置に接続し、追加ネットワーク接続を介して追加電子装置から健康関連情報セットを検索する。
【００７０】
電子装置は任意で、健康関連情報セットを分析し、（ｉ）ユーザの改善領域セット、および、（ｉｉ）ユーザの推定健康目標セットの少なくとも一方を自動的に決定する（ブロック２２６０）。電子装置は、健康関連情報セットの少なくとも一部から入力セットを生成する（ブロック２２６５）。実施形態において、電子装置は決定した改善領域セットおよび／または決定した推定健康目標セットから入力セットを生成する。
【００７１】
電子装置は、ネットワーク接続を介してサーバに入力セットの少なくとも一部を送信し（ブロック２２７０）、サーバは、（ｉ）ユーザの健康評価、および、（ｉｉ）ユーザの提案健康関連推薦セットを決定する。実施形態において、提案健康関連推薦セットそれぞれは、ユーザによる購入が可能な製品セットを示す。
【００７２】
電子装置は、ネットワーク接続を介してサーバから健康評価および提案健康関連推薦セットを示すデータを受信し（ブロック２２７５）、データはさらにユーザにより購入が可能な製品セットも示す。電子装置は、ユーザインタフェースを介して、健康評価および提案健康関連推薦セットを示すデータの少なくとも一部を提示する（ブロック２２８０）。また、電子装置は、ユーザがユーザインタフェースを介して提案健康関連推薦セットに関連する選択セットを作成することを可能とする（ブロック２２８５）。
【００７３】
実施形態により、システムおよび方法は複数の個人からのデータおよび情報の集約、編集および記憶に対応し、データおよび情報は検索、アクセス、調査される。また、システムおよび方法は、個人がプロフィールを登録、生成すること可能とするソーシャルネットワーキングサービスに対応し、プロフィールは個人により提供されたデータおよび情報の少なくとも一部を有する。これに関して、ソーシャルネットワーキングサービスは類似した、あるいは所望する健康目標あるいは他の情報に基づいて個人を結び付ける。例えば、ソーシャルネットワーキングサービスは、第１の健康目標として「健康的な心臓」を指定した二人の個人を結び付ける。さらに、ソーシャルネットワーキングサービスは個人がメッセージ、リンクおよび他の情報を投稿し、全体として他の個人と対話することを可能とする。
【００７４】
図２３は、ここで記載する機能が実施される例示的なサーバ（図１に関連して説明したサーバ１１０等）の図を示す。サーバ２３１０は記載したように様々なエンティティ、構成要素および装置と接続し、通信するように構成される。一実施において、サーバ２３１０の構成要素は電子装置に含まれる。
【００７５】
サーバ２３１０は、メモリ２３７８と共にプロセッサ２３２２を有する。メモリ２３７８は、アプリケーション２３７５（すなわち、マシン可読命令）のセットと共に、記載する機能を実行可能なオペレーティングシステム２３７９を記憶する。例えば、アプリケーション２３７５のセットの一つは、ユーザ供給情報および入力に基づいて健康関連推薦を決定し、生成するように構成される健康推薦アプリケーション２３９０である。一つ以上の他のアプリケーション２３９１が想定されることを理解されたい。
【００７６】
プロセッサ２３２２は、メモリ２３７８とインタフェース接続し、オペレーティングシステム２３７９およびアプリケーション２３７５のセットを実行する。いくつかの実施形態により、メモリ２３７８は、健康推薦アプリケーション２３９０がアクセスして健康関連推薦を決定、生成する製品およびサービス情報２３８９も記憶する。メモリ２３７８は、読み出し専用メモリ（ＲＯＭ）、電子プログラム可能読み出し専用メモリ（ＥＰＲＯＭ）、ランダムアクセスメモリ（ＲＡＭ）、消去可能電子プログラマブル読み出し専用メモリ（ＥＥＰＲＯＭ）、および／または、他のハードドライブ、フラッシュメモリ、マイクロＳＤカード等の、揮発性および／または不揮発性の固定および／またはリムーバブルメモリの一つ以上の形式を有する。
【００７７】
サーバ２３１０は、一つ以上のネットワーク２３９２を介してデータを通信するように構成される通信モジュール２３７７をさらに有する。いくつかの実施形態により、通信モジュール２３７７はＩＥＥＥ標準、３ＧＰＰ標準、あるいは他の標準に従って機能し、一つ以上の外部ポート２３７６を介してデータを受信、送信するように構成される一つ以上の送受信機（例えば、ＷＷＡＮ、ＷＬＡＮ、および／またはＷＰＡＮ送受信機）を有する。
【００７８】
サーバ２３１０は、ユーザに情報を提示する、および／または、ユーザから入力を受信するように構成されるユーザインタフェース２３８１をさらに有する。図２３に示すように、ユーザインタフェース２３８１は表示画面２３８１およびＩ／Ｏ構成要素２３８３（例えば、ポート、容量性あるいは抵抗性タッチセンサ入力パネル、キー、ボタン、ライト、ＬＥＤ）を有する。いくつかの実施形態により、ユーザはユーザインタフェース２３８１を介してサーバ２３１０をアクセスし、情報を調査し、および／または、他の機能を実行する。
【００７９】
いくつかの実施形態において、サーバ２３１０は「クラウド」ネットワークの一部として記載する機能を実行するか、もしくは、クラウド内の他のハードウエアあるいはソフトウエア構成要素と通信し、データの送信、検索、あるいは分析を行う。
【００８０】
一般に、実施形態によるコンピュータプログラム製品は、中で具体化されるコンピュータ可読プログラムコードを有するコンピュータ使用可能記憶媒体（例えば、標準ランダムアクセスメモリ（ＲＡＭ）、光ディスク、ユニバーサルシリアルバス（ＵＳＢ）ドライブ等）を有し、コンピュータ可読プログラウコードはプロセッサ２３２２により実行されるように適合され（例えば、オペレーティングシステム２３７９と関連して作用する）、記載する機能を実行する。これに関して、プログラムコードは任意の所望する言語で実装され、マシンコード、アセンブリコード、バイトコード、解釈可能なソースコード等（例えば、Ｃ、Ｃ＋＋、Ｊａｖａ（登録商標）、アクションスクリプト、オブジェクティブＣ、Ｊａｖａ（登録商標）スクリプト、ＣＳＳ、ＸＭＬ）として実装される。いくつかの実施形態において、コンピュータプログラム製品はリソースのクラウドネットワークの一部である。
【００８１】
以下の正文は多くの異なる実施形態の詳細な説明を挙げているが、発明の法的な範囲は本特許の終わりにあげるクレーム群の文言により規定される。全ての可能な実施形態を説明することは不可能ではないとしても現実的ではないから、詳細な説明は単なる例として解釈され、全ての可能な実施形態を説明しない。現在の技術あるいは本特許の有効日後に開発される技術を使用して多くの他の実施形態を実施できるであろうが、それらはクレームの範疇内である。
【００８２】
本明細書の全体において、複数の例は単一の例として説明される構成要素、動作あるいは構造を実施する。一つ以上の方法の個々の動作は別の動作として図示し、説明されるが、一つ以上の個々の動作は同時に実行され、示した順序で動作を実行する必要はない。例示的な構成において別の構成用として提示された構造および機能は、組み合わせの構造あるいは構成要素として実施してもよい。同様に、単一の構成要素として提示された構造および機能は別の構成要素として実施してもよい。これら、および他の変形、修正、追加および改良は記載する主題の範疇である。
【００８３】
また、特定の実施形態はロジック、多数のルーチン、サブルーチン、アプリケーションあるいは命令を含むとして説明した。これらは、ソフトウエア（例えば、非一時的マシン可読媒体で具体化されるコード）あるいはハードウエアのいずれかからなる。ハードウエアにおいて、ルーチン等は特定の動作を実行可能である有形体であり、特定の方法で構成あるいは配置されてもよい。実施形態において、一つ以上のコンピュータシステム（例えば、スタンドアロン、クライアントまたはサーバコンピュータシステム）、またはコンピュータシステム（例えば、プロセッサあるいはプロセッサ群）の一つ以上のハードウエアモジュールは、記載するように特定の動作を実行するように動作するハードウエアモジュールとしてソフトウエア（例えば、アプリケーションあるいはアプリケーション部分）により構成されてもよい。
【００８４】
様々な実施形態において、ハードウエアモジュールは機械的あるいは電子的に実装される。例えば、ハードウエアモジュールは、特定の動作を実行するために永久的に構成される（例えば、フィールドプログラマブルゲートアレイ（ＦＰＧＡ）あるいは特定用途集積回路（ＡＳＩＣ）等の専用プロセッサ）専用回路あるいはロジックを有する。ハードウエアモジュールは、特定の動作を実行するためにソフトウエアにより一時的に構成されるプログラマブルロジックあるいは回路（例えば、汎用プロセッサあるいは他のプログラマブルプロセッサに包含される）も有してもよい。専用で永久的に構成される回路、あるいは一時的に構成される回路においてハードウエアモジュールを機械的に実装する決定は、費用および時間を考慮して行われることを理解されたい。
【００８５】
したがって、用語「ハードウエアモジュール」は、特定の方法で動作するため、あるいは、記載する特定の動作を実行するため、物理的に構築され、永久的に構成される（例えば、配線接続される）、あるいは、一時的に構成される（例えば、プログラムされる）実体である有形体を包含すると理解される。ハードウエアモジュールが一時的に構成される（例えば、プログラムされる）実施形態を考えれば、各ハードウエアモジュールは一度に構成、あるいは例示化する必要はない。例えば、ハードウエアモジュールがソフトウエアを使用して構成される汎用プロセッサを有する場合、汎用プロセッサは異なる時間に異なるハードウエアモジュールとして構成されてもよい。したがって、ソフトウエアはプロセッサを構成し、例えば、ある時間瞬間に特定のハードウエアモジュールを構成し、異なる時間瞬間に異なるハードウエアモジュールを構成してもよい。
【００８６】
ハードウエアモジュールは他のハードウエアモジュールに情報を提供し、情報を受信する。したがって、記載するハードウエアモジュールは通信接続されるとみなされる。このような複数のハードウエアモジュールが同時に存在する場合、通信はハードウエアモジュールを接続する単一伝送（例えば、適切な回路およびバスにおいて）達成される。複数のハードウエアモジュールが異なる時間に構成あるいは例示化される実施形態において、このようなハードウエアモジュール間の通信は、例えば複数のハードウエアモジュールがアクセスするメモリ構造内の情報の記憶および検索により達成される。例えば、１つのハードウエアモジュールが１つの動作を実行し、通信接続されるメモリ装置に動作の出力を記憶する。そして、別のハードウエアモジュールはその後、メモリ装置をアクセスして記憶された出力を検索し、処理する。ハードウエアモジュールは、入力あるいは出力装置との通信も開始し、リソースにおいて動作する（例えば、情報の収集）。
【００８７】
記載する例示的な方法の様々な動作は、関連動作を実行するために一時的に構成される（例えば、ソフトウエアにより）、あるいは永久的に構成される一つ以上のプロセッサにより、少なくとも部分的に実行される。一時的あるいは永久的に構成されても、プロセッサは一つ以上の動作あるいは機能を実行するために動作するプロセッサ実行モジュールを構成する。いわゆるモジュールは、いくつかの実施形態においてプロセッサ実行モジュールを有する。
【００８８】
同様に、記載する方法あるいはルーチンは、少なくとも部分的にプロセッサ実行される。例えば、方法の動作の少なくとも一部は一つ以上のプロセッサ、あるいはプロセッサ実装ハードウエアモジュールにより実行される。特定の動作の実行は、単一マシン内に存在するものだけではなく、多くのマシンに展開される一つ以上のプロセッサの間で分散される。いくつかの実施形態のいて、プロセッサは単一の位置（例えば、家庭環境、オフィス環境内、あるいはサーバファームとして）にあってもよいし、他の実施形態において、プロセッサは多くの位置の間で分散されてもよい。
【００８９】
特定の動作の実行は、単一のマシン内だけではなく、多くの間で展開される一つ以上のプロセッサの間で分散してもい。いくつかの実施形態において、一つ以上のプロセッサあるいはプロセッサ実装モジュールは、単一の地理的位置（例えば、家庭環境、オフィス環境、あるいはサーバファーム内）に配置してもよい。他の実施形態において、一つ以上のプロセッサあるいはプロセッサ実装モジュールは多くの地理的位置の間で分散してもよい。
【００９０】
特に明記しない限り、説明は、「処理」、「計算」、「算出」、「決定」、「提示」、「表示」等を、一つ以上のメモリ（例えば、揮発性メモリ、不揮発性メモリあるいはそれらの組み合わせ）、レジスタ、あるいは、情報を受信、記憶、送信あるいは表示する他のマシン構成要素内に物理的（例えば、電気、磁気あるいは光学）量として表現されるデータを操作あるいは変換するマシン（例えば、コンピュータ）の動作あるいは処理と呼ぶ。
【００９１】
ここで使用するように、「一実施形態」あるいは「実施形態」の参照は、実施形態と関連して説明する特定の要素、機能、構造あるいは特徴が少なくとも１つの実施形態に含まれることを意味する。明細書における様々な箇所での「一実施形態」という句の出現は、全て同じ実施形態を参照しているとは限らない。
【００９２】
ここで使用する「有する」は、「含む」あるいは他の変形等を含み、包括的な包含を対象することを意図する。例えば、要素のリストを含む処理、方法、品目あるいは装置は、それらの要素を限定するものではなく、そのような処理、方法、品目あるいは装置に明示的に記載されていない、あるいは固有の他の要素を含む。さらに、特に断りのない限り、「または」は包含的なまたは指し、排他的なまたはではない。例えば、条件ＡまたはＢは、Ａが真であり（あるいは存在する）、Ｂは偽である（存在しない）、Ａが偽であり（あるいは存在しない）、Ｂは真である（存在する）、および、ＡおよびＢの両方が真である（あるいは存在する）のいずれか一つにより満たされる。
【００９３】
また、「ａ」あるいは「ａｎ」の使用は実施形態の要素および構成要素を説明するために使用している。これは単に利便性のためではなく、説明の一般的な意味を与えるためである。本明細書および以下の請求項は、一つ、少なくとも一つおよび単一を含むと読み取られるべきであり、それが他の意味であることが明らかではない限り、複数も含む。
【００９４】
全ての可能な実施形態を説明することは不可能ではないとしても現実的ではないから、詳細な説明は、例として解釈されるべきであり、全ての可能な実施形態を説明していない。詳細な説明は単なる例として解釈され、全ての可能な実施形態を説明しない。現在の技術あるいは本出願の提出日後に開発される技術を使用して多くの他の実施形態を実施できるであろう。
【符号の説明】
【００９５】
１００………システム
１０１、１０２、１０３………電子装置
１０５………コンピュータネットワーク
１１０………サーバ
３００、４００、４０５、５００、６００、７００、８００、９００、１０００、１１００、１２００、１３００、１４００、１５００、１６００、１７００、１８００、１８０５、１９００、１９０５、２０００………インタフェース
２３１０………サーバ
２３２２………プロセッサ
２３７５、２３９１………アプリケーション
２３７６………外部ポート
２３７７………通信モジュール
２３７８………メモリ
２３７９………オペレーティングシステム
２３８０………製品およびサービス情報
２３８１………ユーザインタフェース
２３８２………表示画面
２３８３………Ｉ／Ｏ構成要素
２３９０………健康推薦アプリケーション
２３９２………ネットワーク
【図１】
2019530918.tif 000003
【図２】
2019530918.tif 000004
【図３】
2019530918.tif 000005
【図４Ａ】
2019530918.tif 000006
【図４Ｂ】
2019530918.tif 000007
【図５】
2019530918.tif 000008
【図６】
2019530918.tif 000009
【図７】
2019530918.tif 000010
【図８】
2019530918.tif 000011
【図９】
2019530918.tif 000012
【図１０】
2019530918.tif 000013
【図１１】
2019530918.tif 000014
【図１２】
2019530918.tif 000015
【図１３】
2019530918.tif 000016
【図１４】
2019530918.tif 000017
【図１５】
2019530918.tif 000018
【図１６】
2019530918.tif 000019
【図１７】
2019530918.tif 000020
【図１８Ａ】
2019530918.tif 000021
【図１８Ｂ】
2019530918.tif 000022
【図１９Ａ】
2019530918.tif 000023
【図１９Ｂ】
2019530918.tif 000024
【図２０】
2019530918.tif 000025
【図２１Ａ】
2019530918.tif 000026
【図２１Ｂ】
2019530918.tif 000027
【図２１Ｃ】
2019530918.tif 000028
【図２２Ａ】
2019530918.tif 000029
【図２２Ｂ】
2019530918.tif 000030
【図２３】
2019530918.tif 000031
【国際調査報告】
2019530918.tif 000032
2019530918.tif 000033